(57)【要約】【課題】時間変化により画素が意図しない階調に遷移していく現象を改善することができるようにする。【解決手段】制御部は、駆動パルスに対応する電圧を印加することにより所定の階調で表示される双安定電子光学ディスプレイの所定の画素に対して、前回描画したときからの経過時間を計算し、計算された経過時間に基づいて、所定の駆動パルスの電圧を前記画素に印加する。本技術は、例えば、双安定電子光学ディスプレイの表示を制御する表示制御装置等に適用できる。【選択図】図３
2014199333.tif 000002
【特許請求の範囲】
【請求項１】
駆動パルスに対応する電圧を印加することにより所定の階調で表示される双安定電子光学ディスプレイの所定の画素に対して、前回描画したときからの経過時間を計算し、計算された前記経過時間に基づいて、所定の駆動パルスの電圧を前記画素に印加する制御部を備える
表示制御装置。
【請求項２】
前記前回描画したときからの経過時間と、その経過時間のときに印加する駆動パルスデータとを対応付けて記憶する時間−パルス対応テーブルを記憶する階調補正用駆動パルスデータ記憶部をさらに備え、
前記制御部は、計算された前記経過時間に対応する駆動パルスデータを、前記時間−パルス対応テーブルから選択し、選択した駆動パルスデータに基づいて、前記所定の駆動パルスの電圧を前記画素に印加する
請求項１に記載の表示制御装置。
【請求項３】
前記階調補正用駆動パルスデータ記憶部は、前記時間−パルス対応テーブルを所定の温度ごとに有し、
前記制御部は、前記双安定電子光学ディスプレイの現在の温度を取得して、前記現在の温度に対応する前記時間−パルス対応テーブルを用いる
請求項２に記載の表示制御装置。
【請求項４】
前記階調補正用駆動パルスデータ記憶部は、前記時間−パルス対応テーブルを所定の階調ごとに有し、
前記制御部は、前記所定の画素の階調に対応する前記時間−パルス対応テーブルを用いる
請求項２に記載の表示制御装置。
【請求項５】
前記階調補正用駆動パルスデータ記憶部は、所定の温度ごとの前記時間−パルス対応テーブルを複数の階調について有し、
前記制御部は、前記双安定電子光学ディスプレイの現在の温度を取得して、前記所定の画素の階調に対応し、かつ、前記現在の温度に対応する前記時間−パルス対応テーブルを用いる
請求項２に記載の表示制御装置。
【請求項６】
前記所定の画素は、前記双安定電子光学ディスプレイに表示させる画像データの更新において、階調が変更されない画素である
請求項１に記載の表示制御装置。
【請求項７】
前記制御部は、前記双安定電子光学ディスプレイのページ送りのタイミングで、階調が変更されない前記所定の画素に対して、前記所定の駆動パルスの電圧を前記画素に印加する
請求項６に記載の表示制御装置。
【請求項８】
前記所定の画素は、前記双安定電子光学ディスプレイに表示させる画像データの更新が一定期間以上なされない画素である
請求項１に記載の表示制御装置。
【請求項９】
駆動パルスに対応する電圧を印加することにより所定の階調で表示される双安定電子光学ディスプレイの表示を制御する表示制御装置が、
前記双安定電子光学ディスプレイの所定の画素に対して、前回描画したときからの経過時間を計算し、計算された前記経過時間に基づいて、所定の駆動パルスの電圧を前記画素に印加する
ステップを含む表示制御方法。
【請求項１０】
駆動パルスに対応する電圧を印加することにより所定の階調で表示される双安定電子光学ディスプレイと、
前記双安定電子光学ディスプレイの所定の画素に対して、前回描画したときからの経過時間を計算し、計算された前記経過時間に基づいて、所定の駆動パルスの電圧を前記画素に印加する制御部と
を備える電子情報表示装置。
【請求項１１】
駆動パルスに対応する電圧を印加することにより所定の階調で表示される双安定電子光学ディスプレイの所定の画素に対して、前回描画したときの階調を識別し、識別された階調と同じ階調となる駆動パルスの電圧を前記画素に印加する制御部を備える
表示制御装置。
【請求項１２】
駆動パルスに対応する電圧を印加することにより所定の階調で表示される双安定電子光学ディスプレイの表示を制御する表示制御装置が、
前記双安定電子光学ディスプレイの所定の画素に対して、前回描画したときの階調を識別し、識別された階調と同じ階調となる駆動パルスの電圧を前記画素に印加する
ステップを含む表示制御方法。
【請求項１３】
駆動パルスに対応する電圧を印加することにより所定の階調で表示される双安定電子光学ディスプレイと、
前記双安定電子光学ディスプレイの所定の画素に対して、前回描画したときの階調を識別し、識別された階調と同じ階調となる駆動パルスの電圧を前記画素に印加する制御部と
を備える電子情報表示装置。
【請求項１４】
駆動パルスに対応する電圧を印加することにより所定の階調で表示される双安定電子光学ディスプレイの所定の画素に対して、前回描画したときの階調を識別し、エリアゴーストを除去するための駆動パルスの電圧を前記画素に印加する制御部を備える
表示制御装置。
【請求項１５】
駆動パルスに対応する電圧を印加することにより所定の階調で表示される双安定電子光学ディスプレイの表示を制御する表示制御装置が、
前記双安定電子光学ディスプレイの所定の画素に対して、前回描画したときの階調を識別し、エリアゴーストを除去するための駆動パルスの電圧を前記画素に印加する
ステップを含む表示制御方法。
【請求項１６】
駆動パルスに対応する電圧を印加することにより所定の階調で表示される双安定電子光学ディスプレイと、
前記双安定電子光学ディスプレイの所定の画素に対して、前回描画したときの階調を識別し、エリアゴーストを除去するための駆動パルスの電圧を前記画素に印加する制御部と
を備える電子情報表示装置。
【発明の詳細な説明】
【技術分野】
【０００１】
本技術は、表示制御装置、表示制御方法、および電子情報表示装置に関し、特に、時間変化により画素が意図しない階調に遷移していく現象を改善することができるようにする表示制御装置、表示制御方法、および電子情報表示装置に関する。
【背景技術】
【０００２】
近年、電子書籍リーダの普及が進んでいる。電子書籍リーダのディスプレイとして用いられている双安定電子光学ディスプレイは、液晶ディスプレイと比較すると、バックライトが不要であり、画面内容を変化させるときだけ電力を必要とし、それ以外では電源を切ることができるため、消費電力が小さいという特長を有している（例えば、特許文献１参照）。
【先行技術文献】
【特許文献】
【０００３】
【特許文献１】特表２００５−５０９９２５号公報
【発明の概要】
【発明が解決しようとする課題】
【０００４】
しかしながら、双安定電子光学ディスプレイでは、画素内の材料の安定性が十分でない場合、時間の経過に伴って階調が中間階調に向かって変化し、意図しない階調に遷移することがある。
【０００５】
すなわち、図１に示されるように、描画直後は階調が最も低い黒画素においては、一定時間経過後に、明度が上がり、階調が最も高い白画素においては、一定時間経過後に、明度が落ちる。またグレイ階調の画素においても、一定時間経過後に、中間階調に推移する。
【０００６】
このような時間経過による階調の変化により、図２に示すような現象が発生する。
【０００７】
すなわち、図２の画面P１で示されるように、ある描画タイミングにおいて、ディスプレイの全領域のうちの中央部の領域R１には黒が描画され、それ以外の領域R２には白が描画されたとする。
【０００８】
画面P１の描画タイミングから、時間の経過とともに、画面P２のように、領域R２については、明度が落ち、白から徐々にグレイに変化する。また、領域R１については、時間の経過とともに、明度が上がり、黒から徐々にグレイに変化する。
【０００９】
そして、例えば、ページを次に送る操作がユーザにより行われ、領域R１を白とする画像データの描画が実行されたとする。この場合、本来、領域R１と領域R２は同じ白が描画された領域であるため、領域R１と領域R２はいずれも白として視認されるはずである。しかしながら、描画更新のない領域R２の階調がグレイに経時変化しているため、画面P３に示されるように、領域R１と領域R２とで階調の差異が生じる。この領域R２のように、時間経過により発生する階調の変化により、本来は認識されることのない偽の領域であるエリアゴーストが発生することがある。
【００１０】
従来、このようなエリアゴーストを除去するためには、フラッシュと呼ばれる、各画素で白と黒を瞬間的に反転させる駆動パルスを与える制御が行われていたが、白黒反転が目立ってしまうため、フラッシュを行わずに、時間経過により発生する階調の変化を改善することが望まれている。
【００１１】
本技術は、このような状況に鑑みてなされたものであり、エリアゴーストなど、時間変化により画素が意図しない階調に遷移していく現象を改善することができるようにするものである。
【課題を解決するための手段】
【００１２】
本技術の第１の側面の表示制御装置は、駆動パルスに対応する電圧を印加することにより所定の階調で表示される双安定電子光学ディスプレイの所定の画素に対して、前回描画したときからの経過時間を計算し、計算された前記経過時間に基づいて、所定の駆動パルスの電圧を前記画素に印加する制御部を備える。
【００１３】
本技術の第１の側面の表示制御方法は、駆動パルスに対応する電圧を印加することにより所定の階調で表示される双安定電子光学ディスプレイの表示を制御する表示制御装置が、前記双安定電子光学ディスプレイの所定の画素に対して、前回描画したときからの経過時間を計算し、計算された前記経過時間に基づいて、所定の駆動パルスの電圧を前記画素に印加するステップを含む。
【００１４】
本技術の第１の側面の電子情報表示装置は、駆動パルスに対応する電圧を印加することにより所定の階調で表示される双安定電子光学ディスプレイと、前記双安定電子光学ディスプレイの所定の画素に対して、前回描画したときからの経過時間を計算し、計算された前記経過時間に基づいて、所定の駆動パルスの電圧を前記画素に印加する制御部とを備える。
【００１５】
本技術の第１の側面においては、駆動パルスに対応する電圧を印加することにより所定の階調で表示される双安定電子光学ディスプレイの所定の画素に対して、前回描画したときからの経過時間が計算され、計算された前記経過時間に基づいて、所定の駆動パルスの電圧が前記画素に印加される。
【００１６】
本技術の第２の側面の表示制御装置は、駆動パルスに対応する電圧を印加することにより所定の階調で表示される双安定電子光学ディスプレイの所定の画素に対して、前回描画したときの階調を識別し、識別された階調と同じ階調となる駆動パルスの電圧を前記画素に印加する制御部を備える。
【００１７】
本技術の第２の側面の表示制御方法は、駆動パルスに対応する電圧を印加することにより所定の階調で表示される双安定電子光学ディスプレイの表示を制御する表示制御装置が、前記双安定電子光学ディスプレイの所定の画素に対して、前回描画したときの階調を識別し、識別された階調と同じ階調となる駆動パルスの電圧を前記画素に印加するステップを含む。
【００１８】
本技術の第２の側面の電子情報表示装置は、駆動パルスに対応する電圧を印加することにより所定の階調で表示される双安定電子光学ディスプレイと、前記双安定電子光学ディスプレイの所定の画素に対して、前回描画したときの階調を識別し、識別された階調と同じ階調となる駆動パルスの電圧を前記画素に印加する制御部とを備える。
【００１９】
本技術の第２の側面においては、駆動パルスに対応する電圧を印加することにより所定の階調で表示される双安定電子光学ディスプレイの所定の画素に対して、前回描画したときの階調が識別され、識別された階調と同じ階調となる駆動パルスの電圧が前記画素に印加される。
【００２０】
本技術の第３の側面の表示制御装置は、駆動パルスに対応する電圧を印加することにより所定の階調で表示される双安定電子光学ディスプレイの所定の画素に対して、前回描画したときの階調を識別し、エリアゴーストを除去するための駆動パルスの電圧を前記画素に印加する制御部を備える。
【００２１】
本技術の第３の側面の表示制御方法は、駆動パルスに対応する電圧を印加することにより所定の階調で表示される双安定電子光学ディスプレイの表示を制御する表示制御装置が、
前記双安定電子光学ディスプレイの所定の画素に対して、前回描画したときの階調を識別し、エリアゴーストを除去するための駆動パルスの電圧を前記画素に印加するステップを含む。
【００２２】
本技術の第３の側面の電子情報表示装置は、駆動パルスに対応する電圧を印加することにより所定の階調で表示される双安定電子光学ディスプレイと、前記双安定電子光学ディスプレイの所定の画素に対して、前回描画したときの階調を識別し、エリアゴーストを除去するための駆動パルスの電圧を前記画素に印加する制御部とを備える。
【００２３】
本技術の第３の側面においては、駆動パルスに対応する電圧を印加することにより所定の階調で表示される双安定電子光学ディスプレイの所定の画素に対して、前回描画したときの階調が識別され、エリアゴーストを除去するための駆動パルスの電圧が前記画素に印加される。
【００２４】
表示制御装置および電子情報表示装置は、独立した装置であっても良いし、１つの装置を構成している内部ブロックであっても良い。
【発明の効果】
【００２５】
本技術の第１乃至第３の側面によれば、時間変化により画素が意図しない階調に遷移していく現象を改善することができる。
【図面の簡単な説明】
【００２６】
【図１】従来の問題を説明する図である。
【図２】従来の問題を説明する図である。
【図３】本技術が適用された電子書籍リーダの一実施の形態の構成例を示すブロック図である。
【図４】通常描画用パルスデータ記憶部の駆動パルスデータの例を示す図である。
【図５】階調補正用パルスデータ記憶部の駆動パルスデータの例を示す図である。
【図６】定時補正用パルスデータ記憶部の駆動パルスデータの例を示す図である。
【図７】ページ送り時のエリアゴースト除去処理について説明する図である。
【図８】第１のエリアゴースト除去処理について説明するフローチャートである。
【図９】第２のエリアゴースト除去処理について説明するフローチャートである。
【図１０】エリアゴースト除去処理の効果について説明する図である。
【図１１】画面遷移が一定期間ない場合のエリアゴースト除去処理について説明する図である。
【図１２】第３のエリアゴースト除去処理について説明するフローチャートである。
【発明を実施するための形態】
【００２７】
＜電子書籍リーダのブロック図＞
図３は、本技術が適用された電子書籍リーダの一実施の形態の構成例を示すブロック図であり、電子書籍リーダの表示制御に関する機能構成ブロック図を示している。
【００２８】
図３の電子書籍リーダ１は、表示パネルとして双安定電子光学ディスプレイ１１を備え、その表示制御部として制御部１２を有している。また、電子書籍リーダ１は、温度センサ１３、時計１４、記憶部１５、および操作検出部１６も有している。双安定電子光学ディスプレイ１１は、一般には、電子ペーパーとも呼ばれ、電子書籍リーダ１は、電子ペーパーを表示媒体として用いた電子情報表示装置の一種である。
【００２９】
双安定電子光学ディスプレイ１１は、背面電極と、表示面側の前面電極（透明電極）との間の中間層に、単一もしくは複数の粒子とを混在させた構成を有している。
【００３０】
例えば、白色粒子と黒色粒子が混在する双安定電子光学ディスプレイ１１では、制御部１２の駆動パルス制御により、例えば、背面電極に正の電圧（例えば、＋１５V）が印加されると、表示面側の前面電極側に白色粒子が集まり、背面電極側に黒色粒子が集まることにより、白（色）が表示される。反対に、背面電極に負の電圧（例えば、−１５V）が印加されると、表示面側の前面電極側に黒色粒子が集まり、背面電極側に白色粒子が集まることにより、黒（色）が表示される。なお、前面電極（透明電極）には、表示パネル固有の電圧（コモン電圧）が印加される。
【００３１】
双安定電子光学ディスプレイ１１は、例えば、SVGA（８００×６００）等の所定の解像度を有しており、行列状に配置された画素単位で、白および黒と、その中間階調であるグレイの表示を行うことができる。本実施の形態では、双安定電子光学ディスプレイ１１は１６階調のモノクロ表示が可能であるものとして、最も明度が高い階調１５を白、最も明度が低い階調０を黒、白と黒の中間の階調１乃至１４をグレイ１乃至１４という。また、以下では、双安定電子光学ディスプレイ１１を、単に、ディスプレイ１１と称する。
【００３２】
制御部１２は、温度センサ１３で検出された温度、および、時計１４で検出された時刻（カウント値）、並びに、記憶部１５に記憶されている画像データおよび駆動制御データに基づいて、ディスプレイ１１に所定の駆動パルスを出力することにより、ディスプレイ１１の各画素の階調を制御する。また、制御部１２は、ディスプレイ１１への電源の供給（オン、オフ）も制御する。したがって、制御部１２は、ディスプレイ１１の表示制御を行う表示制御装置として機能する。
【００３３】
制御部１２は、例えば、CPU（Central Processing Unit）、ROM（Read Only Memory）、RAM（Random Access Memory）等のハードウエアにより構成することができ、ROM等に記憶された制御プログラムを実行することで、以下に説明する表示制御を実現することができる。制御部１２は、制御用IC(Integrated Circuit)、制御用LSI(Large Scale Integration) として構成したり、記憶部１５とともに、一つのチップ（SoC:System-on-a-chip）として構成することもできる。
【００３４】
温度センサ１３は、ディスプレイ１１周辺の現在の温度を検出し、検出結果を制御部１２に出力する。
【００３５】
時計１４は、所定のマスタクロック信号に基づいて、現在時刻を示すカウント値を制御部１２に出力する。
【００３６】
記憶部１５は、制御部１２によるディスプレイ１１の表示制御に必要なデータを記憶する。記憶部１５は、例えば、ROM、RAM等のハードウエアにより構成される。
【００３７】
記憶部１５は、前画像バッファ２１、次画像バッファ２２、通常描画用パルスデータ記憶部２３、階調補正用パルスデータ記憶部２４、定時補正用パルスデータ記憶部２５、および前回描画時刻格納用バッファ２６を有する。
【００３８】
前画像バッファ２１は、ディスプレイ１１に現在表示されている電子書籍の所定のページ（以下、現ページという。）の画像データを記憶する。次画像バッファ２２は、現ページの次ページの画像データを記憶する。すなわち、電子書籍リーダ１の不図示のコンテンツ記憶部に格納されている所定の電子書籍（コンテンツデータ）のあるページが、ディスプレイ１１に表示されている状態において、ユーザが、ページを送る操作を行った場合、次画像バッファ２２に記憶されている電子書籍の画像データが表示される。
【００３９】
なお、以下では、ディスプレイ１１に表示させる電子書籍の１ページ分の画像データを、ページデータともいう。
【００４０】
通常描画用パルスデータ記憶部２３は、例えば、ユーザによってページ送りが指示されて、画面が更新される場合に、階調が変更される画素に対して描画を行うための駆動パルスデータを記憶する。
【００４１】
階調補正用パルスデータ記憶部２４は、例えば、ユーザによってページ送りが指示されて、画面が更新される場合に、階調が変更されない画素に対して描画を行うための駆動パルスデータを記憶する。
【００４２】
換言すれば、階調補正用パルスデータ記憶部２４は、ページ送りによる画像データの変更があっても階調が変更されない画素の、経時変化による階調の補正を行うための駆動パルスデータを記憶する。
【００４３】
定時補正用パルスデータ記憶部２５は、ユーザによってページ送り等が一定期間指示されることなく、一定期間以上、画面の遷移がない場合に、経時変化による階調の補正を行うための駆動パルスデータを記憶する。
【００４４】
なお、本実施の形態では、画面が更新される場合の例として、ユーザによってページ送りの操作が行われ、次ページの画像を表示するために、画面全体が描画される例について説明するが、後述するように、本技術は、ページ送り以外の画面更新についても適用可能である。
【００４５】
前回描画時刻格納用バッファ２６は、ディスプレイ１１に対して描画（表示の更新）を行った最後の時刻（直近の時刻）を記憶する。
【００４６】
操作検出部１６は、ユーザによる操作を検出し、検出された操作に対応する制御信号を制御部１２に供給する。例えば、操作検出部１６は、ユーザが行ったページ送りの操作を検出した場合、次のページを表示させる描画要求を制御部１２に供給する。
【００４７】
＜通常描画用パルスデータ記憶部の格納データ例＞
図４は、通常描画用パルスデータ記憶部２３に記憶されている駆動パルスデータの例を示している。
【００４８】
通常描画用パルスデータ記憶部２３には、ページデータの変更によって階調が変更される画素に使用される駆動パルスデータである、複数（N個）の通常描画用駆動パルスデータ１乃至通常描画用駆動パルスデータNが記憶されている。
【００４９】
複数の通常描画用駆動パルスデータ１乃至通常描画用駆動パルスデータNのそれぞれは、背面電極に印加する電圧値（印加電圧）と、その電圧値を印加する頻度（印加頻度）の組み合わせで定義される。印加電圧は、駆動パルスの高さに相当し、印加頻度は、駆動パルスの長さ（幅）に相当する。印加電圧は、例えば、白を表示させる場合には、＋１５V、黒を表示させる場合には、−１５Vとなる。駆動パルスの振幅がゼロの場合には、背面電極には、前面電極と同一の表示パネル固有のコモン電圧が印加される。印加頻度は、描画更新のための印加を行うフレーム数で設定される。
【００５０】
通常描画用駆動パルスデータ１は、例えば、印加電圧＋１５Vを５フレーム（５回）に亘って印加して、−１５Vを３フレーム（３回）に亘って印加する、通常描画用駆動パルスデータ２は、印加電圧＋１５Vを１０フレーム（１０回）に亘って印加して、−１５Vを５フレーム（５回）に亘って印加する、などのように定義されている。
【００５１】
制御部１２は、温度センサ１３で検出された現在の温度と、描画対象画素の更新前の階調及び更新後の階調とに基づいて、通常描画用駆動パルスデータ１乃至通常描画用駆動パルスデータNのいずれかを選択して、選択した通常描画用駆動パルスデータに対応する駆動パルス（駆動電圧）を印加する。
【００５２】
なお、通常描画用パルスデータ記憶部２３には、温度、更新前の階調、および更新後の階調の他、例えば、ユーザにより指定される表示モード、描画品質設定、描画速度設定等に応じて、より細分化した多数の通常描画用駆動パルスデータを登録しておくことができる。この場合、制御部１２は、設定された条件に従って、通常描画用パルスデータ記憶部２３に記憶されている多数の通常描画用駆動パルスデータのなかから、所定の通常描画用駆動パルスデータを選択して駆動制御することができる。
【００５３】
＜階調補正用パルスデータ記憶部の格納データ例＞
図５は、階調補正用パルスデータ記憶部２４に記憶されている駆動パルスデータの例を示している。
【００５４】
階調補正用パルスデータ記憶部２４には、白画素テーブル群４１、グレイＸテーブル群４２、黒画素テーブル群４３、および、階調補正用駆動パルスデータ群４４が、記憶されている。
【００５５】
白画素テーブル群４１には、ページデータの変更があっても階調が変更されない画素に対して描画を行うための駆動パルスデータであって、描画対象画素の階調が白である場合に使用される駆動パルスデータが記憶されている。
【００５６】
白画素テーブル群４１は、直近の描画更新時からの経過時間と、その経過時間に対応する駆動パルスデータとを対応付けた白画素用の時間−パルス対応テーブル５１を、所定の温度ごとに保持している。換言すれば、白画素テーブル群４１は、温度センサ１３によって検出される温度に対応させて、複数の白画素用の時間−パルス対応テーブル５１ａ、５１ｂ、５１ｃ・・・を有している。
【００５７】
グレイＸテーブル群４２には、ページデータの変更があっても階調が変更されない画素に対して描画を行うための駆動パルスデータであって、描画対象画素の階調がグレイＸである場合に使用される駆動パルスデータが記憶されている。
【００５８】
グレイＸテーブル群４２は、直近の描画更新時からの経過時間と、その経過時間に対応する駆動パルスデータとを対応付けたグレイＸ用の時間−パルス対応テーブル５２を、所定の温度ごとに保持している。換言すれば、グレイＸテーブル群４２は、温度センサ１３によって検出される温度に対応させて、複数のグレイＸ用の時間−パルス対応テーブル５２a、５２ｂ、５２ｃ・・・を有している。
【００５９】
なお、グレイＸは、階調１から階調１４のいずれか一つでもよいし、複数でもよい。換言すれば、階調補正用パルスデータ記憶部２４には、グレイ１からグレイ１４のなかの任意の階調Ｘについて、グレイＸテーブル群４２を記憶しておくことができる。
【００６０】
黒画素テーブル群４３には、ページデータの変更があっても階調が変更されない画素に対して描画を行うための駆動パルスデータであって、描画対象画素の階調が黒である場合に使用される駆動パルスデータが記憶されている。
【００６１】
黒画素テーブル群４３は、直近の描画更新時からの経過時間と、その経過時間に対応する駆動パルスデータとを対応付けた黒画素用の時間−パルス対応テーブル５３を、所定の温度ごとに保持している。換言すれば、黒画素テーブル群４３は、温度センサ１３によって検出される温度に対応させて、複数の黒画素用の時間−パルス対応テーブル５３ａ、５３ｂ、５３ｃ・・・を有している。
【００６２】
階調補正用駆動パルスデータ群４４には、ページデータの変更があっても階調が変更されない画素に使用される具体的な駆動パルスデータである、複数（M個）の階調補正用駆動パルスデータ１乃至Ｍが記憶されている。複数の階調補正用駆動パルスデータ１乃至Ｍのそれぞれは、通常描画用駆動パルスデータと同様に、印加電圧と、印加頻度の組み合わせで定義される。
【００６３】
白画素用の時間−パルス対応テーブル５１、グレイＸ用の時間−パルス対応テーブル５２、及び、黒画素用の時間−パルス対応テーブル５３の各駆動パルスデータには、階調補正用駆動パルスデータ群４４の階調補正用駆動パルスデータ１乃至Ｍのいずれかを示す値（階調補正用駆動パルスデータの番号）が記載されている。したがって、階調補正用駆動パルスデータ群４４の複数の階調補正用駆動パルスデータ１乃至Ｍは、白画素用の時間−パルス対応テーブル５１、グレイＸ用の時間−パルス対応テーブル５２、及び、黒画素用の時間−パルス対応テーブル５３で、共有されている。
【００６４】
＜定時補正用パルスデータ記憶部の格納データ例＞
図６は、定時補正用パルスデータ記憶部２５に記憶されている駆動パルスデータの例を示している。
【００６５】
定時補正用パルスデータ記憶部２５には、一定期間以上、画面の遷移がない場合に、経時変化による階調の補正を行うための定時補正用駆動パルスデータ群が、所定の温度ごとに記憶されている。
【００６６】
所定の温度に対応する一つの定時補正用駆動パルスデータ群は、定時補正用駆動パルスデータ（白→白）、定時補正用駆動パルスデータ（グレイ１→グレイ１）、定時補正用駆動パルスデータ（グレイ２→グレイ２）、・・・、定時補正用駆動パルスデータ（黒→黒）で構成される。
【００６７】
定時補正用駆動パルスデータ（白→白）は、現在の階調が白である画素に対して、経時変化による階調の補正を行うための駆動パルスデータである。
【００６８】
定時補正用駆動パルスデータ（グレイ１→グレイ１）は、現在の階調がグレイ１である画素に対して、経時変化による階調の補正を行うための駆動パルスデータである。
【００６９】
定時補正用駆動パルスデータ（グレイ２→グレイ２）は、現在の階調がグレイ２である画素に対して、経時変化による階調の補正を行うための駆動パルスデータである。
【００７０】
定時補正用駆動パルスデータ（グレイ３→グレイ３）から、定時補正用駆動パルスデータ（グレイ１４→グレイ１４）も同様である。
【００７１】
定時補正用駆動パルスデータ（黒→黒）は、現在の階調が黒である画素に対して、経時変化による階調の補正を行うための駆動パルスデータである。
【００７２】
なお、本実施の形態では、ディスプレイ１１が表示可能な１６階調の全てについて、経時変化による階調の補正を行うための駆動パルスデータを持つものとするが、補正対象の階調が一部の階調のみである場合には、補正対象以外の階調の駆動パルスデータは省略することができる。
【００７３】
＜ページ送り時のエリアゴースト除去処理の説明＞
図７を参照して、制御部１２が行う、ページ送り時のエリアゴースト除去処理について説明する。
【００７４】
図７の上側の図は、ページデータの変更があっても階調が変更されない画素が白画素である場合の、エリアゴースト除去処理の例を示している。
【００７５】
白画素では、描画の更新がない場合、明度が、時間の経過とともに徐々に中間階調に低下していく。
【００７６】
制御部１２は、操作検出部１６から次のページの描画要求が供給された場合、前回描画時刻格納用バッファ２６に記憶されている前回の描画時刻を取得し、前回描画したときからの経過時間を計算する。
【００７７】
また、制御部１２は、温度センサ１３から出力される現在の温度を取得して、白画素テーブル群４１の複数の白画素用の時間−パルス対応テーブル５１ａ、５１ｂ、５１ｃ・・・のなかから、取得した温度に対応する白画素用の時間−パルス対応テーブル５１ａを選択する。
【００７８】
そして、制御部１２は、選択した白画素用の時間−パルス対応テーブル５１ａのなかから、計算された経過時間に対応する階調補正用駆動パルスデータを選択する。例えば、図７に示されるように、計算された経過時間が４０秒である場合、階調補正用駆動パルスデータ１４が選択される。次に、制御部１２は、階調補正用駆動パルスデータ群４４の階調補正用駆動パルスデータ１４を参照して、駆動パルスを印加する。これにより、前回描画したときからの経過時間に応じた強度の駆動パルスが印加され、経過時間に応じた階調の低下を補正することができる。
【００７９】
図７の下側の図は、ページデータの変更があっても階調が変更されない画素が黒画素である場合の、エリアゴースト除去処理の例を示している。
【００８０】
黒画素では、描画の更新がない場合、明度が、時間の経過とともに徐々に中間階調に上昇していく。
【００８１】
制御部１２は、操作検出部１６から次のページの描画要求が供給された場合、前回描画時刻格納用バッファ２６に記憶されている前回の描画時刻を取得し、前回描画したときからの経過時間を計算する。
【００８２】
また、制御部１２は、温度センサ１３から出力される現在の温度を取得して、黒画素テーブル群４３の複数の黒画素用の時間−パルス対応テーブル５３ａ、５３ｂ、５３ｃ・・・のなかから、取得した温度に対応する黒画素用の時間−パルス対応テーブル５３ａを選択する。
【００８３】
そして、制御部１２は、選択した黒画素用の時間−パルス対応テーブル５３ａのなかから、計算により得られた経過時間に対応する階調補正用駆動パルスデータ１０４を取得し、階調補正用駆動パルスデータ群４４の階調補正用駆動パルスデータ１０４を参照して、駆動パルスを印加する。これにより、前回描画したときからの経過時間に応じた強度の駆動パルスが印加され、経過時間に応じた階調の上昇を補正することができる。
【００８４】
グレイＸの場合の処理も、上述した白画素や黒画素の処理と同様である。
【００８５】
＜第１のエリアゴースト除去処理の処理フロー＞
次に、図８のフローチャートを参照して、第１のエリアゴースト除去処理について説明する。
【００８６】
図８の第１のエリアゴースト除去処理は、ページデータの変更があっても階調が変更されない画素のうち、白画素のみについてエリアゴースト除去処理を行う処理である。
【００８７】
この処理は、例えば、操作検出部１６から描画要求が供給された場合に実行される。以下では、ユーザによってページを送る操作が行われて、操作検出部１６からページを更新する描画要求が供給されたものとして説明する。
【００８８】
初めに、ステップＳ１において、制御部１２は、ディスプレイ１１の全画素のうちの所定の画素を、描画対象の画素である対象画素に設定する。
【００８９】
ステップＳ２において、制御部１２は、温度センサ１３で検出された現在の温度を取得する。
【００９０】
ステップＳ３において、制御部１２は、次画像バッファ２２に記憶されている画像データに基づいて、現ページと次ページの対象画素に階調遷移がなく、なおかつ、対象画素の現在の階調が白であるかを判定する。
【００９１】
ステップＳ３で、対象画素に階調遷移がなく、なおかつ、対象画素の現在の階調が白であると判定された場合、処理はステップＳ４に進む。
【００９２】
ステップＳ４において、制御部１２は、時計１４から現在の時刻を取得して、前回描画時刻格納用バッファ２６に記憶されている時刻との差を計算し、前回描画したときからの経過時間を計算する。
【００９３】
ステップＳ５において、制御部１２は、取得された現在の温度に対応する、白画素用の時間−パルス対応テーブル５１を、白画素テーブル群４１のなかから選択する。
【００９４】
ステップＳ６において、制御部１２は、選択した白画素用の時間−パルス対応テーブル５１のなかの、前回描画したときからの経過時間に対応する階調補正用駆動パルスデータを選択する。
【００９５】
ステップＳ７において、制御部１２は、選択した階調補正用駆動パルスデータに基づいて、対象画素に駆動パルスを印加する。ステップＳ７の後、処理はステップＳ１０に進む。
【００９６】
一方、上述したステップＳ３で、対象画素に階調遷移があるか、または、対象画素の現在の階調が白ではないと判定された場合、処理はステップＳ８に進む。
【００９７】
ステップＳ８において、制御部１２は、取得された現在の温度と、対象画素の更新前の階調及び更新後の階調とに基づいて、通常描画用駆動パルスデータ１乃至通常描画用駆動パルスデータNのいずれかを選択する。
【００９８】
そして、ステップＳ９において、制御部１２は、選択した通常描画用駆動パルスデータに対応する駆動パルスを対象画素に印加する。その後、処理はステップＳ１０に進む。
【００９９】
ステップＳ１０において、制御部１２は、ディスプレイ１１の全ての画素を対象画素に設定したかを判定する。
【０１００】
ステップＳ１０で、全ての画素をまだ対象画素に設定していないと判定された場合、処理はステップＳ１に戻され、上述したステップＳ１乃至Ｓ１０の処理が繰り返される。すなわち、まだ対象画素に設定されていない次の画素が対象画素に設定され、対象画素に階調遷移がなく、なおかつ、階調が白である場合に、前回描画したときからの経過時間に応じた駆動パルスを印加する制御が実行される。
【０１０１】
一方、ステップＳ１０で、全ての画素を対象画素に設定したと判定された場合、処理はステップＳ１１に進み、制御部１２は、時計１４から現在の時刻を取得して、前回描画時刻格納用バッファ２６に格納して、処理を終了する。
【０１０２】
以上のように、第１のエリアゴースト除去処理によれば、ディスプレイ１１の各画素が対象画素に設定され、次に表示させるページの画素データに基づいて、階調遷移がある場合には、通常描画用駆動パルスデータに対応する駆動パルスが、対象画素に印加される。
【０１０３】
一方、対象画素に階調遷移がなく、なおかつ、階調が白である場合には、検出された温度、前回描画したときからの経過時間に基づいて、所定の階調補正用駆動パルスデータが選択され、駆動パルスが印加される。これにより、フラッシュを行わなくても、階調遷移がない白画素のエリアゴーストを除去することができる。
【０１０４】
＜第２のエリアゴースト除去処理の処理フロー＞
上述した第１のエリアゴースト除去処理は、白画素についてのみエリアゴースト除去処理を行う例であったが、次に、白画素を含む複数の階調の画素に対して、エリアゴースト除去処理を行う場合について説明する。
【０１０５】
図９は、白画素を含む複数の階調の画素に対して、エリアゴースト除去処理を行う第２のエリアゴースト除去処理のフローチャートである。
【０１０６】
この処理は、例えば、操作検出部１６から描画要求が供給された場合に実行される。以下においても、図８と同様に、ユーザによってページを送る操作が行われ、操作検出部１６からページを更新する描画要求が供給されたものとして説明する。
【０１０７】
初めに、ステップＳ３１において、制御部１２は、ディスプレイ１１の全画素のうちの所定の画素を、描画対象の画素である対象画素に設定する。
【０１０８】
ステップＳ３２において、制御部１２は、温度センサ１３で検出された現在の温度を取得する。
【０１０９】
ステップＳ３３において、制御部１２は、次画像バッファ２２に記憶されている画像データに基づいて、現ページと次ページの対象画素に階調遷移がなく、なおかつ、対象画素の現在の階調が補正対象の階調であるかを判定する。例えば、白、グレイ８、黒の階調が補正対象の階調に設定されている場合、ステップＳ３３では、対象画素に階調遷移がなく、対象画素の現在の階調が、白、グレイ８、黒のいずれかであるかが判定される。
【０１１０】
ステップＳ３３で、対象画素に階調遷移がなく、なおかつ、対象画素の現在の階調が補正対象の階調であると判定された場合、処理はステップＳ３４に進む。
【０１１１】
ステップＳ３４において、制御部１２は、時計１４から現在の時刻を取得して、前回描画時刻格納用バッファ２６に記憶されている時刻との差を計算し、前回描画したときからの経過時間を計算する。
【０１１２】
ステップＳ３５において、制御部１２は、補正対象階調のテーブル群のなかから、現在の温度に対応する時間−パルス対応テーブルを選択する。
【０１１３】
例えば、対象画素の現在の階調が白である場合には、制御部１２は、白画素テーブル群４１のなかから、現在の温度に対応する白画素用の時間−パルス対応テーブル５１ｃを選択する。
【０１１４】
また例えば、対象画素の現在の階調がグレイＸである場合には、制御部１２は、グレイＸテーブル群４２のなかから、現在の温度に対応するグレイＸ用の時間−パルス対応テーブル５２ｃを選択する。
【０１１５】
同様に、対象画素の現在の階調が黒である場合には、制御部１２は、黒画素テーブル群４３のなかから、現在の温度に対応する黒画素用の時間−パルス対応テーブル５３ｃを選択する。
【０１１６】
そして、ステップＳ３６において、制御部１２は、選択した時間−パルス対応テーブルのなかの、前回描画したときからの経過時間に対応する階調補正用駆動パルスデータを選択する。
【０１１７】
続いて、ステップＳ３７において、制御部１２は、選択した階調補正用駆動パルスデータに基づいて、対象画素に駆動パルスを印加する。ステップＳ３７の後、処理はステップＳ４０に進む。
【０１１８】
一方、上述したステップＳ３３で、対象画素に階調遷移があるか、または、対象画素の現在の階調が補正対象の階調ではないと判定された場合、処理はステップＳ３８に進む。
【０１１９】
ステップＳ３８において、制御部１２は、取得された現在の温度と、対象画素の更新前の階調及び更新後の階調とに基づいて、通常描画用駆動パルスデータ１乃至通常描画用駆動パルスデータNのいずれかを選択する。
【０１２０】
そして、ステップＳ３９において、制御部１２は、選択した通常描画用駆動パルスデータに対応する駆動パルスを対象画素に印加する。その後、処理はステップＳ４０に進む。
【０１２１】
ステップＳ４０において、制御部１２は、ディスプレイ１１の全ての画素を対象画素に設定したかを判定する。
【０１２２】
ステップＳ４０で、全ての画素をまだ対象画素に設定していないと判定された場合、処理はステップＳ３１に戻され、上述したステップＳ３１乃至Ｓ４０の処理が繰り返される。すなわち、まだ対象画素に設定されていない次の画素が対象画素に設定され、対象画素に階調遷移がなく、なおかつ、階調が補正対象の階調である場合に、前回描画したときからの経過時間に応じた駆動パルスを印加する制御が実行される。
【０１２３】
一方、ステップＳ４０で、全ての画素を対象画素に設定したと判定された場合、処理はステップＳ４１に進み、制御部１２は、時計１４から現在の時刻を取得して、前回描画時刻格納用バッファ２６に格納して、処理を終了する。
【０１２４】
以上のように、第２のエリアゴースト除去処理によれば、ディスプレイ１１の各画素が対象画素に設定され、次に表示させるページデータに基づいて、階調遷移がある場合には、通常描画用駆動パルスデータに対応する駆動パルスが、対象画素に印加される。
【０１２５】
一方、対象画素に階調遷移がない場合には、対象画素の階調が識別される。そして、対象画素の階調が、補正対象の階調であるか否かが判定され、補正対象の階調である場合には、検出された温度、前回描画したときからの経過時間に基づいて、階調補正用駆動パルスデータが選択され、駆動パルスが印加される。これにより、階調遷移がない所望の階調（複数の階調）の画素に対して、フラッシュを行わなくても、エリアゴーストを除去することができる。
【０１２６】
＜本方式による効果＞
図１０を参照して、制御部１２によるエリアゴースト除去処理の効果について説明する。
【０１２７】
図１０では、図２に示した従来方式の駆動制御による画面表示結果と対比して、制御部１２によるエリアゴースト除去処理（本方式）を実行した場合の画面表示結果を示している。
【０１２８】
制御部１２によるエリアゴースト除去処理では、現ページから次ページへの描画の更新が要求された場合、上述したように、階調遷移がない白画素の領域である領域R２に対しても、前回描画したときからの経過時間に基づいて、エリアゴーストを除去するための階調変化を元に戻す駆動パルスの電圧が印加される。これにより、本来は階調変化がない画素において時間経過により生じる階調変化により発生するエリアゴーストを抑制することができる。
【０１２９】
したがって、図１０下側の図に示されるように、更新後の画面P４では、領域R１とR２で階調の差異は生じず、エリアゴーストは発生しない。すなわち、フラッシュを行わなくても、時間変化により画素が意図しない階調に遷移していく現象を改善することができる。
【０１３０】
なお、上述した例では、階調遷移がある画素と階調遷移がない画素の描画を同時に実行した。しかし、階調遷移がある画素の描画更新制御と、階調遷移がない画素のエリアゴースト除去のための描画更新制御を別にして、２段階で実行することも可能である。
【０１３１】
また、上述した例では、第１および第２のエリアゴースト除去処理が実行されるタイミングの例として、ページ送り時の全画面更新のタイミングについて説明した。しかしながら、ページ送り時以外の全画面更新のタイミングにおいても、上述した第１および第２のエリアゴースト除去処理を実行することができる。例えば、ディスプレイ１１に表示させるコンテンツ（電子書籍）を選択する選択画面や各種の設定画面を表示させる際の画面更新においても、第１および第２のエリアゴースト除去処理を実行することができる。
【０１３２】
＜画面遷移が一定期間ない場合のエリアゴースト除去処理の説明＞
上述した第１および第２のエリアゴースト除去処理では、階調変化のない画素の補正を、ページ送りのタイミングに合わせて実行したが、ページ送りの操作が一定期間行われない場合など、画面遷移が一定期間ない場合もある。そのような場合には、画面更新のタイミングとは別に、エリアゴーストを除去する必要がある。
【０１３３】
そこで、次に、画面遷移が一定期間ない場合のエリアゴースト除去処理について説明する。
【０１３４】
図１１は、画面遷移が一定期間ない場合のエリアゴースト除去処理について説明する図である。
【０１３５】
図１１の上側の図は、画面遷移が一定期間ない画素の階調が白である場合のエリアゴースト除去処理の例を示している。
【０１３６】
白画素では、画面の更新がない場合、明度が、時間の経過とともに徐々に中間階調に低下していく。
【０１３７】
制御部１２は、前回描画時刻格納用バッファ２６に記憶されている前回の描画時刻に基づいて、画面遷移のない状態が継続している時間を計測する。そして、画面遷移がない状態が一定期間（閾値であるTH_TIME時間）以上続いた場合、制御部１２は、定時補正用パルスデータ記憶部２５から、現在の温度に対応する定時補正用駆動パルスデータ（白→白）を取得して、取得した定時補正用駆動パルスデータ（白→白）に基づき、駆動パルスを印加する。
【０１３８】
ここで、TH_TIME時間としては、ユーザが階調劣化を認識できない程度の時間間隔に設定することができ、定時補正用駆動パルスデータには、この階調劣化を回復させるような駆動パルスを設定することができる。
【０１３９】
図１１の下側の図は、画面遷移が一定期間ない画素の階調が黒である場合のエリアゴースト除去処理の例を示している。
【０１４０】
黒画素では、画面の更新がない場合、明度が、時間の経過とともに徐々に中間階調に上昇していく。
【０１４１】
制御部１２は、前回描画時刻格納用バッファ２６に記憶されている前回の描画時刻に基づいて、画面遷移のない状態が継続している時間を計測する。そして、画面遷移がない状態が一定期間（TH_TIME時間）以上続いた場合、制御部１２は、定時補正用パルスデータ記憶部２５から、現在の温度に対応する定時補正用駆動パルスデータ（黒→黒）を取得して、取得した定時補正用駆動パルスデータ（黒→黒）に基づき、駆動パルスを印加する。
【０１４２】
グレイ階調の処理についても、上述した白画素や黒画素の処理と同様である。
【０１４３】
＜第３のエリアゴースト除去処理の処理フロー＞
図１２は、画面遷移がない状態が一定期間続いた場合の階調変化を補正する第３のエリアゴースト除去処理のフローチャートである。
【０１４４】
この処理は、例えば、ページ送り等により画面の更新がされたときに開始され、次に、画面の更新がされるまで継続して実行される。
【０１４５】
初めに、ステップＳ６１において、制御部１２は、前回描画時刻格納用バッファ２６に記憶されている前回の描画時刻に基づいて、画面遷移のない状態が継続している時間の計測を開始する。
【０１４６】
ステップＳ６２において、制御部１２は、画面遷移がない状態が一定期間（TH_TIME時間）以上続いたか否かを判定し、一定期間以上続いたと判定されるまで、ステップＳ６２の処理を繰り返す。
【０１４７】
そして、ステップＳ６２で、画面遷移がない状態が一定期間以上続いたと判定された場合、処理はステップＳ６３に進み、制御部１２は、ディスプレイ１１の全画素のうちの所定の画素を、描画対象の画素である対象画素に設定する。
【０１４８】
ステップＳ６４において、制御部１２は、対象画素の現在の階調が補正対象の階調であるかを判定する。例えば、補正対象の階調が、白、グレイ４、グレイ８、黒の４種類の階調である場合には、対象画素の現在の階調が、白、グレイ４、グレイ８、黒のいずれかであるかが判定される。
【０１４９】
ステップＳ６４で、対象画素の現在の階調が補正対象の階調ではないと判定された場合、処理は後述するステップＳ６８に進む。
【０１５０】
一方、ステップＳ６４で、対象画素の現在の階調が補正対象の階調であると判定された場合、処理はステップＳ６５に進み、制御部１２は、温度センサ１３で検出された現在の温度を取得する。
【０１５１】
ステップＳ６６において、制御部１２は、現在の温度に対応する補正対象階調の定時補正用駆動パルスデータを選択する。例えば、対象画素の現在の階調が白である場合には、現在の温度に対応する定時補正用駆動パルスデータ群のなかの、定時補正用駆動パルスデータ（白→白）が選択される。また例えば、対象画素の現在の階調がグレイ４である場合には、現在の温度に対応する定時補正用駆動パルスデータ群のなかの、定時補正用駆動パルスデータ（グレイ４→グレイ４）が選択される。
【０１５２】
ステップＳ６７において、制御部１２は、選択した定時補正用駆動パルスデータに基づいて、対象画素に駆動パルスを印加する。
【０１５３】
ステップＳ６８において、制御部１２は、ディスプレイ１１の全ての画素を対象画素に設定したかを判定する。
【０１５４】
ステップＳ６８で、全ての画素をまだ対象画素に設定していないと判定された場合、処理はステップＳ６３に戻され、次の対象画素に対して、上述したステップＳ６３乃至Ｓ６８の処理が繰り返される。
【０１５５】
一方、ステップＳ６８で、全ての画素を対象画素に設定したと判定された場合、処理はステップＳ６９に進み、制御部１２は、ディスプレイ１１の少なくとも一つの画素に何らかの駆動パルスが印加されたかを判定する。
【０１５６】
ステップＳ６９で、全ての画素に駆動パルスが印加されていないと判定された場合、処理はステップＳ６１に戻る。
【０１５７】
一方、ステップＳ６９で、少なくとも一つの画素に何らかの駆動パルスが印加されたと判定された場合、処理はステップＳ７０に進み、制御部１２は、時計１４から現在の時刻を取得して、前回描画時刻格納用バッファ２６に格納する。その後、処理はステップＳ６１に戻る。
【０１５８】
以上のようにして、第３のエリアゴースト除去処理によれば、画面遷移がない状態が一定期間続いた場合に発生する階調の変化を抑制することができる。
【０１５９】
以上説明した第１乃至第３のエリアゴースト除去処理によれば、前回描画したときからの経過時間および現在の温度に応じて、時間経過により生じる階調変化を元に戻すための駆動パルスの電圧が画素に印加される。これにより、フラッシュを行わなくても、本来は階調変化がない画素において時間経過により生じる階調変化により発生するエリアゴーストを抑制することができる。
【０１６０】
なお、上述した例では、電子書籍リーダ１が、第１乃至第３のエリアゴースト除去機能の全てを有し、実行する場合について説明したが、電子書籍リーダ１は、第１乃至第３のエリアゴースト除去機能のうちの一つまたは二つのみを有するものでもよい。
【０１６１】
上述した実施の形態では、双安定電子光学ディスプレイ１１は、１６階調のモノクロ表示を行うディスプレイであるとして説明したが、階調数は１６以外でもよく、また、カラー表示可能なディスプレイであってもよい。
【０１６２】
また、上述した実施の形態では、本技術を電子書籍リーダに適用した例について説明したが、本技術は、書籍の情報を電子表示するものに限定されず、その他の文字、図形、画像などの情報を電子表示する電子情報表示装置全般に適用することができる。
【０１６３】
本技術の実施の形態は、上述した実施の形態に限定されるものではなく、本技術の要旨を逸脱しない範囲において種々の変更が可能である。
【０１６４】
例えば、上述した複数の処理の全てまたは一部を組み合わせた形態を採用することができる。
【０１６５】
また、上述のフローチャートで説明した各ステップは、１つの装置で実行する他、複数の装置で分担して実行することができる。
【０１６６】
さらに、１つのステップに複数の処理が含まれる場合には、その１つのステップに含まれる複数の処理は、１つの装置で実行する他、複数の装置で分担して実行することができる。
【０１６７】
なお、本明細書において、フローチャートに記述されたステップは、記載された順序に沿って時系列的に行われる場合はもちろん、必ずしも時系列的に処理されなくとも、並列に、あるいは呼び出しが行われたとき等の必要なタイミングで実行されてもよい。
【０１６８】
なお、本技術は以下のような構成も取ることができる。
（１）
駆動パルスに対応する電圧を印加することにより所定の階調で表示される双安定電子光学ディスプレイの所定の画素に対して、前回描画したときからの経過時間を計算し、計算された前記経過時間に基づいて、所定の駆動パルスの電圧を前記画素に印加する制御部を備える
表示制御装置。
（２）
前記前回描画したときからの経過時間と、その経過時間のときに印加する駆動パルスデータとを対応付けて記憶する時間−パルス対応テーブルを記憶する階調補正用駆動パルスデータ記憶部をさらに備え、
前記制御部は、計算された前記経過時間に対応する駆動パルスデータを、前記時間−パルス対応テーブルから選択し、選択した駆動パルスデータに基づいて、前記所定の駆動パルスの電圧を前記画素に印加する
前記（１）に記載の表示制御装置。
（３）
前記階調補正用駆動パルスデータ記憶部は、前記時間−パルス対応テーブルを所定の温度ごとに有し、
前記制御部は、前記双安定電子光学ディスプレイの現在の温度を取得して、前記現在の温度に対応する前記時間−パルス対応テーブルを用いる
前記（２）に記載の表示制御装置。
（４）
前記階調補正用駆動パルスデータ記憶部は、前記時間−パルス対応テーブルを所定の階調ごとに有し、
前記制御部は、前記所定の画素の階調に対応する前記時間−パルス対応テーブルを用いる
前記（２）または（３）に記載の表示制御装置。
（５）
前記階調補正用駆動パルスデータ記憶部は、所定の温度ごとの前記時間−パルス対応テーブルを複数の階調について有し、
前記制御部は、前記双安定電子光学ディスプレイの現在の温度を取得して、前記所定の画素の階調に対応し、かつ、前記現在の温度に対応する前記時間−パルス対応テーブルを用いる
前記（２）に記載の表示制御装置。
（６）
前記所定の画素は、前記双安定電子光学ディスプレイに表示させる画像データの更新において、階調が変更されない画素である
前記（１）乃至（５）のいずれかに記載の表示制御装置。
（７）
前記制御部は、前記双安定電子光学ディスプレイのページ送りのタイミングで、階調が変更されない前記所定の画素に対して、前記所定の駆動パルスの電圧を前記画素に印加する
前記（１）乃至（６）のいずれかに記載の表示制御装置。
（８）
前記所定の画素は、前記双安定電子光学ディスプレイに表示させる画像データの更新が一定期間以上なされない画素である
前記（１）乃至（７）のいずれかに記載の表示制御装置。
（９）
駆動パルスに対応する電圧を印加することにより所定の階調で表示される双安定電子光学ディスプレイの表示を制御する表示制御装置が、
前記双安定電子光学ディスプレイの所定の画素に対して、前回描画したときからの経過時間を計算し、計算された前記経過時間に基づいて、所定の駆動パルスの電圧を前記画素に印加する
ステップを含む表示制御方法。
（１０）
駆動パルスに対応する電圧を印加することにより所定の階調で表示される双安定電子光学ディスプレイと、
前記双安定電子光学ディスプレイの所定の画素に対して、前回描画したときからの経過時間を計算し、計算された前記経過時間に基づいて、所定の駆動パルスの電圧を前記画素に印加する制御部と
を備える電子情報表示装置。
（１１）
駆動パルスに対応する電圧を印加することにより所定の階調で表示される双安定電子光学ディスプレイの所定の画素に対して、前回描画したときの階調を識別し、識別された階調と同じ階調となる駆動パルスの電圧を前記画素に印加する制御部を備える
表示制御装置。
（１２）
駆動パルスに対応する電圧を印加することにより所定の階調で表示される双安定電子光学ディスプレイの表示を制御する表示制御装置が、
前記双安定電子光学ディスプレイの所定の画素に対して、前回描画したときの階調を識別し、識別された階調と同じ階調となる駆動パルスの電圧を前記画素に印加する
ステップを含む表示制御方法。
（１３）
駆動パルスに対応する電圧を印加することにより所定の階調で表示される双安定電子光学ディスプレイと、
前記双安定電子光学ディスプレイの所定の画素に対して、前回描画したときの階調を識別し、識別された階調と同じ階調となる駆動パルスの電圧を前記画素に印加する制御部と
を備える電子情報表示装置。
（１４）
駆動パルスに対応する電圧を印加することにより所定の階調で表示される双安定電子光学ディスプレイの所定の画素に対して、前回描画したときの階調を識別し、エリアゴーストを除去するための駆動パルスの電圧を前記画素に印加する制御部を備える
表示制御装置。
（１５）
駆動パルスに対応する電圧を印加することにより所定の階調で表示される双安定電子光学ディスプレイの表示を制御する表示制御装置が、
前記双安定電子光学ディスプレイの所定の画素に対して、前回描画したときの階調を識別し、エリアゴーストを除去するための駆動パルスの電圧を前記画素に印加する
ステップを含む表示制御方法。
（１６）
駆動パルスに対応する電圧を印加することにより所定の階調で表示される双安定電子光学ディスプレイと、
前記双安定電子光学ディスプレイの所定の画素に対して、前回描画したときの階調を識別し、エリアゴーストを除去するための駆動パルスの電圧を前記画素に印加する制御部と
を備える電子情報表示装置。
【符号の説明】
【０１６９】
１  電子書籍リーダ，  １１  双安定電子光学ディスプレイ，  １２  制御部，  １３  温度センサ，  １４  時計，  １５  記憶部，  １６  操作検出部，  ２３  通常描画用パルスデータ記憶部，  ２４  階調補正用パルスデータ記憶部，  ２５  定時補正用パルスデータ記憶部，  ２６  前回描画時刻格納用バッファ
【図１】
2014199333.tif 000003
【図２】
2014199333.tif 000004
【図３】
2014199333.tif 000005
【図４】
2014199333.tif 000006
【図５】
2014199333.tif 000007
【図６】
2014199333.tif 000008
【図７】
2014199333.tif 000009
【図８】
2014199333.tif 000010
【図９】
2014199333.tif 000011
【図１０】
2014199333.tif 000012
【図１１】
2014199333.tif 000013
【図１２】
2014199333.tif 000014